(57)【要約】【課題】食器を洗浄する洗浄水が流通する流水管同士の接合部に配されたパッキンが、腐食性ガスによって劣化することを抑制することができる食器洗い機を提供する。【解決手段】洗浄水が流通する排水管２と接続管３との接合部に、接合部からの漏水を防止するパッキン４が配してあり、パッキン４の上面４ａを被覆するよう洗浄水を貯留する貯水空間Ｓ１が形成されている。排水管２の内径は接続管３の外径よりも長く、排水管２の一端部に接続管３の一端部が挿入されており、パッキン４は、排水管２の内面２ｂと接続管３の外面３ａとの間に介在しており、貯水空間Ｓ１は、内面２ｂと外面３ａと上面４ａとに囲繞されてなる。つまり上面４ａは、貯水空間Ｓ１の底面に配されており、洗浄水内に混入されていたオゾンガスが空気中に発散した場合でも、上面４ａ被覆する洗浄水によって、パッキン４とオゾンガスとの直接接触が抑制される。【選択図】図２
2008000462.tif 000002
【特許請求の範囲】
【請求項１】
食器を洗浄する洗浄水が流通する第１流水管と第２流水管との接合部に、該接合部からの漏水を防止するパッキンが配してあり、
食器洗浄補助用の腐食性ガスを前記洗浄水に混入させるためのガス発生部を備える食器洗い機において、
流通する洗浄水を、前記パッキンの表面を被覆するように貯留する貯水空間が前記接合部の近傍に形成されていることを特徴とする食器洗い機。
【請求項２】
前記第１流水管の第１端部の内径は前記第２流水管の第２端部の外径よりも長く、
前記第１端部に前記第２端部が挿入されており、
前記パッキンは、前記第１端部の内面と前記第２端部の外面との間に介在しており、
前記貯水空間は、前記内面と前記外面と前記表面とに囲繞されてなることを特徴とする請求項１に記載の食器洗い機。
【請求項３】
前記第１流水管及び前記第２流水管の接合側の一端部の外面夫々にフランジが設けてあり、
前記パッキンは、前記フランジの間に介在しており、
前記貯水空間は、前記フランジの間と前記表面とに囲繞されてなり、
前記貯水空間へ前記洗浄水が流入する流入口が形成されていることを特徴とする請求項１に記載の食器洗い機。
【請求項４】
前記第２流水管の外面から突出する底部と、該底部から前記第１流水管の外面の外側へ突出する側部とを有し、内部に前記貯水空間が形成される貯水フランジを備え、
前記パッキンは、前記側部の内面と前記第１流水管の外面との間に介在しており、
前記貯水空間へ前記洗浄水が流入する流入口が形成されていることを特徴とする請求項１に記載の食器洗い機。
【発明の詳細な説明】
【技術分野】
【０００１】
本発明は、皿、箸、湯飲み等の食器を洗浄し、しかも、食器及び自身の内部を殺菌、脱臭、漂白等して洗浄補助する食器洗い機に関する。
【背景技術】
【０００２】
食器洗い機は、洗浄すべき食器を収容する食器籠と、食器籠内の食器を洗浄する洗浄水を貯留する洗浄槽と、洗浄水を食器へ噴射するための噴射口が形成された洗浄ノズルと、洗浄槽に貯留された洗浄水を循環させて噴射口から噴射させるための洗浄ポンプとを備える。
また、食器洗い機は、洗浄槽に貯留された洗浄水を加熱するヒータを備える。食器洗い機が、食器乾燥機能を兼ね備える場合、このヒータは、洗浄槽内の空気を加熱することにも用いられる。
【０００３】
更に、従来、オゾン発生器を備える食器洗い機が提案されている（特許文献１参照）。
オゾン発生器で発生したオゾンガスは、食器の洗浄工程及びすすぎ工程で、洗浄水に混入される。
【０００４】
洗浄水に混入されたオゾンガスの酸化力によって、洗浄水が殺菌される。また、オゾンガスが混入された洗浄水を洗浄ノズルの噴射口から噴射させることによって、食器、食器籠、洗浄槽等が殺菌され、更に、オゾンガスが混入された洗浄水が循環することによって、洗浄水が流通する流水管、洗浄ポンプ等が殺菌される。更にまた、食器洗い機内部での雑菌類の発生が抑制され、しかも、食器に付着していた残菜、汚水等が脱臭される。
【０００５】
ところで、食器洗い機が、食器乾燥機能を兼ね備える場合、ヒータで加熱した空気を洗浄槽内へ送風するが、この送風される空気にオゾンガスを混入させることによって、食器、食器籠、洗浄槽等が漂白される。
以上のようにして、オゾンガスは、食器洗浄補助用の腐食性ガスとして用いられる。
【０００６】
さて、食器洗い機内部を循環する洗浄水が流通する流水管同士の接合部には、接合部からの漏水を防止するパッキンが配してある。
図６は、従来の食器洗い機が備える排水管６１と接続管６２との接合部の構成を示す縦断面図である。
【０００７】
排水管６１は、洗浄槽６０から排出された洗浄水が流通する流水管であり、洗浄槽６０底部に一体に、上下方向に突設されている。
接続管６２は、排水管６１と、図示しない洗浄ポンプの吸水口とを接続する流水管であり、排水管６１の下側に、上下方向に配されている。
洗浄水は、上から下へ、即ち白抜矢符Ｗ方向へ、排水管６１及び接続管６２を、この順に流れる。
【０００８】
排水管６１と接続管６２とは、夫々円筒状の合成樹脂製であり、合成ゴム製の円環状のパッキン６３を介在して接合されている。
具体的には、接続管６２の内径は排水管６１の外径よりも長く、接続管６２に排水管６１が挿入されている。また、パッキン６３は、接続管６２の内面と排水管６１の外面との間に介在している。
【０００９】
食器の洗浄工程及びすすぎ工程の間、排水管６１及び接続管６２洗浄水が流れるため、パッキン６３の下面６３ａは浸水する。
一方、洗浄工程及びすすぎ工程の終了後、排水管６１及び接続管６２を流れる洗浄水が、例えば食器洗い機の外部へ排出されるため、パッキン６３の下面６３ａは、接続管６２内の空気に曝される。
パッキン６３の上面、内周面及び外周面は、洗浄槽６０底部外面、排水管６１外周面及び接続管６２の内周面に密着しており、洗浄水及び空気夫々に直接的に接触することはほとんどない。
【特許文献１】特開平２−７７２２３号公報
【発明の開示】
【発明が解決しようとする課題】
【００１０】
洗浄水に混入されているオゾンガスは、洗浄水中から空気中へ移動して、更に空気中を下から上へ、即ち図６中矢符Ｇ方向へ移動する。
このため、接続管６２内の空気に曝されているパッキン６３の下面６３ａに、オゾンガスが直接的に接触することがある。
オゾンガスは合成ゴムを腐蝕させる腐食性ガスであるため、パッキン６３がオゾンガスによって劣化し、劣化したパッキン６３は漏水防止機能が低減する。この結果、排水管６１と接続管６２との接合部から漏水が発生することがある。
【００１１】
パッキン６３の劣化による漏水を防止するために、パッキン６３を頻繁に新品と交換することが考えられるが、食器洗い機の使用者又は製造者が部品交換のコストを負担する必要があり、また、パッキン６３を交換するまで食器洗い機を使用することができず、使用者の利便性が低下するという問題がある。
【００１２】
しかしながら、特許文献１には、オゾンガスによるパッキンの劣化を抑制する手段に関しては言及されていない。
【００１３】
本発明は斯かる事情に鑑みてなされたものであり、その主たる目的は、第１流水管と第２流水管との接合部近傍に形成された貯水空間に、接合部に配されているパッキンの表面を被覆するよう洗浄水を貯留する構成とすることにより、腐食性ガスによってパッキンが劣化することを抑制することができる食器洗い機を提供することにある。
【００１４】
本発明の他の目的は、第１流水管の内面と、第１流水管の一端部に挿入された第２流水管の外面と、パッキンの表面とに囲繞されてなる貯水空間に、洗浄水を貯留する構成とすることにより、例えば第１流水管が上側に、第２流水管が下側に、夫々配されている場合に、パッキンの上方の貯水空間に貯水することができる食器洗い機を提供することにある。
【００１５】
本発明の他の目的は、第１流水管及び第２流水管の外面夫々に形成されたフランジの間とパッキンの表面とに囲繞されてなる貯水空間に、洗浄水が流入する流入口を介して洗浄水を貯留する構成とすることにより、例えば第１流水管が上側に、第２流水管が下側に、夫々配されている場合に、パッキンの側方の貯水空間に貯水することができる食器洗い機を提供することにある。
【００１６】
本発明の更に他の目的は、第２流水管の外面に形成されている貯水フランジ内部の貯水空間に、洗浄水が流入する流入口を介して洗浄水を貯留する構成とすることにより、例えば第１流水管が上側に、第２流水管が下側に、夫々配されている場合に、パッキンの下方の貯水空間に貯水することができる食器洗い機を提供することにある。
【課題を解決するための手段】
【００１７】
本発明に係る食器洗い機は、食器を洗浄する洗浄水が流通する第１流水管と第２流水管との接合部に、該接合部からの漏水を防止するパッキンが配してあり、食器洗浄補助用の腐食性ガスを前記洗浄水に混入させるためのガス発生部を備える食器洗い機において、流通する洗浄水を、前記パッキンの表面を被覆するように貯留する貯水空間が前記接合部の近傍に形成されていることを特徴とする。
【００１８】
本発明に係る食器洗い機は、前記第１流水管の第１端部の内径は前記第２流水管の第２端部の外径よりも長く、前記第１端部に前記第２端部が挿入されており、前記パッキンは、前記第１端部の内面と前記第２端部の外面との間に介在しており、前記貯水空間は、前記内面と前記外面と前記表面とに囲繞されてなることを特徴とする。
【００１９】
本発明に係る食器洗い機は、前記第１流水管及び前記第２流水管の接合側の一端部の外面夫々にフランジが設けてあり、前記パッキンは、前記フランジの間に介在しており、前記貯水空間は、前記フランジの間と前記表面とに囲繞されてなり、前記貯水空間へ前記洗浄水が流入する流入口が形成されていることを特徴とする。
【００２０】
本発明に係る食器洗い機は、前記第２流水管の外面から突出する底部と、該底部から前記第１流水管の外面の外側へ突出する側部とを有し、内部に前記貯水空間が形成される貯水フランジを備え、前記パッキンは、前記側部の内面と前記第１流水管の外面との間に介在しており、前記貯水空間へ前記洗浄水が流入する流入口が形成されていることを特徴とする。
【００２１】
本発明にあっては、食器を洗浄する洗浄水が流通する第１流水管と第２流水管との接合部近傍に、洗浄水がパッキンの表面を被覆するよう洗浄水を貯留する貯水空間が形成されている。このため、パッキンの表面は、貯水空間の底面、天面、側面等をなす。換言すれば、パッキンの上方、下方、側方等に、貯水のための空間が設けられている。
ここで、貯水空間に貯留される洗浄水は、第１流水管及び／又は第２流水管を流通する洗浄水である。
【００２２】
パッキンは、接合部からの漏水を防止すべく接合部に配されており、このパッキンの表面を、貯水空間に貯留された洗浄水が被覆する。この洗浄水が、パッキンの表面と空気との接触を阻害するため、ガス発生部が発生させた食器洗浄補助用の腐食性ガスが、パッキンの表面に直接的に接触することが抑制される。
【００２３】
本発明にあっては、第１流水管の第１端部の内径が第２流水管の第２端部の外径よりも長く、第１流水管の第１端部に第２流水管の第２端部が挿入されている。
貯水空間は、第１流水管の第１端部の内面と第２流水管の第２端部の外面と、これらの間に介在しているパッキンの表面とに囲繞されてなる空間であり、この貯水空間に、洗浄水が貯留される。
【００２４】
例えば、第１流水管が上側に略鉛直に配され、第２流水管が下側に略鉛直に配されている場合、第２流水管を囲繞するパッキンの上方に設けられている貯水空間へ、第１流水管（第２流水管）から第２流水管（第１流水管）へ流通する洗浄水が流入する。このとき、第１流水管の第１端部の内面と第２流水管の第２端部の外面とパッキンの表面とに囲繞されてなる貯水空間が水受けの機能を果たし、パッキンの表面上に自然に貯水される。
【００２５】
本発明にあっては、第１流水管及び第２流水管の接合側の一端部の外面夫々にフランジが設けてある。また、第１流水管及び／又は第２流水管を流通する洗浄水が貯水空間へ流入する流入口が形成されている。
貯水空間は、第１流水管のフランジと第２流水管のフランジと、これらの間に介在しているパッキンの表面とに囲繞されてなる空間であり、この貯水空間に、流入口を通って流入した洗浄水が貯留される。
【００２６】
例えば、第１流水管が上側に略鉛直に配され、第２流水管が下側に略鉛直に配されている場合、第２流水管を囲繞するパッキンの側方（パッキンの第２流水管の径方向内側）に設けられている貯水空間に、第１流水管（第２流水管）から第２流水管（第１流水管）へ流通する洗浄水が、流入口を通って流入して、自然に貯留される。
【００２７】
本発明にあっては、貯水フランジが、第２流水管の外面から突出する底部と、この底部から第１流水管の外面の外側へ突出する側部とを有する。パッキンは、貯水フランジの側部内面と第１流水管の外面との間に介在している。また、第１流水管及び／又は第２流水管を流通する洗浄水が貯水空間へ流入する流入口が形成されている。
貯水空間は、貯水フランジの内部、即ち貯水フランジの側部内面と底部内面（と第２流水管の外面）とに囲繞されてなる空間であり、この貯水空間に、流入口を通って流入した洗浄水が貯留される。
【００２８】
例えば、第１流水管が上側に略鉛直に配され、第２流水管が下側に略鉛直に配されている場合、第１流水管を囲繞するパッキンの下方に設けられている貯水空間、即ち貯水フランジ内部へ、第１流水管（第２流水管）から第２流水管（第１流水管）へ流通する洗浄水が流入して、自然と貯留される。
【発明の効果】
【００２９】
本発明の食器洗い機による場合、パッキンの表面に腐食性ガスが直接的に接触することが抑制されるため、パッキンに直接的に接触した腐食性ガスがパッキンを腐食劣化させることが抑制される。
仮に、パッキンが劣化した場合、劣化したパッキンが漏水を防止しきれず、接合部から漏水することがある。
【００３０】
つまり、パッキンの表面を被覆するよう洗浄水を貯留する貯水空間を形成することによって、オゾンガスによるパッキンの劣化を抑制することができ、このため、食器洗浄補助用に腐食性ガスを用いていても、パッキンの耐久性を向上させることができる。この結果、接合部からの漏水を抑制することができる。
【００３１】
また、パッキンの表面を覆う物は、第１流水管及び／又は第２流水管を流通する洗浄水である。つまり、貯水空間に貯留するための他の液体を別途準備する必要がなく、貯水空間へ洗浄水を注入するための流水管を別途設ける必要がなく、また、例えば食器洗い機の使用者が予め貯水空間に洗浄水を注入しておく必要がない。
このため、腐食性ガスとパッキンとの接触を阻害する手段を容易に、かつ低コストで形成することができ、使用者の利便性を向上させることができる。
【００３２】
更に、パッキンの表面を洗浄水が覆うため、食器の洗浄終了後もパッキンの表面が乾燥し難く、このため、過剰な乾燥によるパッキンの乾燥劣化を抑制することができる。
【００３３】
更にまた、万が一、洗浄水に残菜が含まれていた場合でも、パッキンの表面が乾燥し難いため、乾燥した残菜がパッキンにこびりつくことが抑制される。このため、例えば新たに貯留空間へ流入した洗浄水によってパッキンの表面が洗浄されて残菜が除去される。即ち、食器洗い機を容易に清浄に保つことができる。
仮に、乾燥した残菜がパッキンにこびりついた場合、例えば食器洗い機の清掃者が、パッキンにこびりついた残菜を除去する際にパッキンを損傷して、パッキンを劣化させてしまうことがある。
【００３４】
そして、本発明の食器洗い機による場合、簡易な構成で、貯水空間に自然に貯水することができる。
【発明を実施するための最良の形態】
【００３５】
以下、本発明を、その実施の形態を示す図面に基づいて詳述する。
【００３６】
実施の形態  １．
図１は、本発明の実施の形態１に係る食器洗い機１の略示正面図である。
本実施の形態における食器洗い機１は、食器洗浄機能と食器乾燥機能とを有する食器洗い乾燥機である。
【００３７】
食器洗い機１は、食器Ａ，Ａ，…を洗浄する洗浄水を貯留し、また、洗浄すべき食器Ａ，Ａ，…を載置する食器籠１３を収容している洗浄槽１１を、筐体１０内部に備えている。
洗浄槽１１の底部には、回転しながら食器籠１３上の食器Ａ，Ａ，…へ洗浄水を噴射する複数の噴射ノズル１２，１２が配設されており、噴射ノズル１２，１２の上側に、食器籠１３が支持レールを用いて支持されている。
【００３８】
食器洗い機１は、噴射ノズル１２，１２に図示しない分配弁を介して加圧水を供給する洗浄ポンプ１４と、洗浄槽１１に貯留されている洗浄水を加熱するヒータ１５と、食器Ａ，Ａ，…の洗浄工程及びすすぎ工程で、食器洗浄補助用の腐食性ガスとしてのオゾンガスを洗浄水に混入させるためのオゾン発生器（ガス発生部）５と、食器洗い機１各部の作動を制御する制御装置１６とを備えている。
ただし、ヒータ１５は、後述するように、食器Ａ，Ａ，…の洗浄及び乾燥の両方に利用される。
【００３９】
洗浄ポンプ１４には、洗浄ポンプ１４を駆動させる洗浄モータ１４１と、洗浄ポンプ１４が洗浄ポンプ１４内へ洗浄水を吸い込むための吸込ホース１４２と、吸い込んだ洗浄水を噴射ノズル１２，１２へ吐き出すための吐出ホース１４３と、吸い込んだ洗浄水を排水口１４４ａから食器洗い機１外部へ排出するための排水ホース１４４とが連結されている。
吐出ホース１４３からの洗浄水の吐き出しと、排水ホース１４４からの洗浄水の排出とは、制御装置１６によって分配弁の向きが切り替えられて、何れか一方が実行されるようにしてある。
【００４０】
食器Ａ，Ａ，…に付着していた残菜は、食器Ａ，Ａ，…の洗浄によって洗浄水に混入するが、残菜が混入した洗浄水は、洗浄槽１１底部に配された残菜フィルタ１９に濾過される。
濾し取られた残菜は残菜フィルタ１９上に残留し、濾過された洗浄水は、洗浄槽１１底部の下方に設けられている排水受け１１０を介し、排水受け１１０の底部に設けられている排水管２へ流入する。
排水管２へ流入した洗浄水は、排水管２を通過し、更に、排水管２と吸込ホース１４２とを接続する接続管３を通過して、洗浄ポンプ１４に吸い込まれる。
【００４１】
次に、洗浄水の循環について説明する。
食器Ａ，Ａ，…の洗浄工程又はすすぎ工程で、制御装置１６によって給水弁１７１が開放され、給水口１７２から洗浄槽１１へ、洗浄水としての水道水が給水され、貯留される。
洗浄槽１１に貯留された洗浄水は、洗浄槽１１底部に配された残菜フィルタ１９を通過し、排水管２、接続管３、及び吸込ホース１４２をこの順に通過して、洗浄ポンプ１４によって加圧されて、吐出ホース１４３を介し、噴射ノズル１２，１２から、洗浄槽１１内面、食器籠１３、食器籠１３上の食器Ａ，Ａ，…等に満遍なく噴射される。
【００４２】
吐出ホース１４３にはオゾン発生器５が連結されており、吐出ホース１４３を通過する洗浄水に、オゾン発生器５が発生させたオゾンガスが吹き込まれる。このため、洗浄水にオゾンガスが混入し、オゾンガスが混入された洗浄水が、噴射ノズル１２，１２から噴射される。
オゾンガスが混入された洗浄水は、オゾンガスの酸化力によって殺菌される。また、オゾンガスが混入された洗浄水によって、洗浄槽１１内面、食器籠１３、食器Ａ，Ａ，…等が殺菌される。
【００４３】
噴射ノズル１２，１２から噴射された洗浄水は、オゾンガスが混入された状態で再び洗浄槽１１に貯留され、そして、残菜フィルタ１９を通過し、更に排水管２、接続管３、及び吸込ホース１４２、洗浄ポンプ１４、吐出ホース１４３を通過して、再び噴射ノズル１２，１２から噴射される。この間に、オゾンガスが混入された洗浄水によって、洗浄水の流通経路が殺菌される。
【００４４】
食器Ａ，Ａ，…の洗浄工程又はすすぎ工程の終了後、洗浄槽１１に貯留された洗浄水は、残菜フィルタ１９を通過し、排水管２、接続管３、及び吸込ホース１４２をこの順に通過して、洗浄ポンプ１４によって、排水ホース１４４を介し、排水口１４４ａから食器洗い機１外部へ排出される。このとき、オゾンガスが混入された洗浄水によって、洗浄水の流通経路が殺菌される。
【００４５】
食器Ａ，Ａ，…の洗浄工程又はすすぎ工程の完了後、食器洗い機１は乾燥工程を実行する。
制御装置１６は、送風ファン１８を作動させて、吸気口１８１から外気を吸入し、送風ダクト１８２を介して洗浄槽１１内部へ送風しつつヒータ１５で加熱する。加熱された外気は、食器籠１３、食器Ａ，Ａ，…等の隙間を通り抜けて、洗浄槽１１上部に設けられた排気口１８３から食器洗い機１外部へ排出される。
このため、洗浄された食器Ａ，Ａ，…が乾燥する。
【００４６】
食器Ａ，Ａ，…の乾燥工程においても、制御装置１６はオゾン発生器５を作動させる。この場合、洗浄槽１１内部へオゾンガスが送風され、洗浄槽１１内部、食器籠１３、食器Ａ，Ａ，…等が漂白される。
以上のようにしてオゾンガスを利用することによって、食器洗い機１内部での雑菌類の発生が抑制され、しかも、食器Ａ，Ａ，…に付着していた残菜（即ち残菜フィルタ１９上に残留している残菜）、食器洗い機１内部等が脱臭される。
なお、オゾン発生器５は、吐出ホース１４３に連結される構成に限らず、例えば排水受け１１０に連結されてもよい。
【００４７】
次に、排水管２と接続管３との接合部の構成について詳細に説明する。
図２は、排水管２と接続管３との接合部の構成を示す縦断面図である。
排水管２は合成樹脂製であり、洗浄槽１１から残菜フィルタ１９を通過して排出された洗浄水が流通する円筒状の第１流水管であり、略鉛直に配されている。
排水管２の洗浄水流入側端部は、排水受け１１０の底部に一体に設けられており、流出側端部（第１端部）２０は、接続管３に接合される。
【００４８】
接続管３は合成樹脂製であり、排水管２から流出した洗浄水が流通する円筒状の第２流水管であり、略鉛直に配されている。
接続管３の洗浄水流出側端部は、吸込ホース１４２に接合されており、流入側端部（第２端部）３０は、排水管２に接合される。
【００４９】
接続管３の流入側端部３０近傍の外面３ａには、円形平板状のフランジ３１が突設されている。流入側端部３０末端からフランジ３１の突設位置までは、所定距離、離隔配置されている。
【００５０】
排水管２と接続管３とは、弾性を有するパッキン４を介し、例えばネジ締めによって接合される。
パッキン４は合成ゴム製であり、断面矩形状の平面視円環状であって、内径は接続管３の流入側端部３０の外径よりも僅かに小さく、外径は排水管２の流出側端部２０の内径よりも僅かに大きい。また、パッキン４の厚みは、前記所定距離より小さい。
パッキン４が、排水管２と接続管３との接合部を密閉することによって、接合部からの漏水が防止される。
【００５１】
排水管２の流出側端部２０の内径は接続管３の流入側端部３０の外径よりも長く、流出側端部２０に流入側端部３０が挿入される。このとき、流出側端部２０末端がフランジ３１上面に当接する。
また、パッキン４は、パッキン４内周面が流入側端部３０を密着囲繞し、更に、パッキン４外周面が流出側端部２０に密着囲繞され、パッキン４の上面４ａが排水管２内部側を向き、下面がフランジ３１に密着するように、排水管２と接続管３との接合部に配される。つまり、パッキン４は、排水管２の流出側端部２０の内面２ｂと接続管３の流入側端部３０の外面３ａとの間に介在している。
【００５２】
このような排水管２と接続管３との接合部近傍には、流出側端部２０の内面２ｂと流入側端部３０の外面３ａとパッキン４の上面４ａとに囲繞されてなり、上側に開口を有する平面視円環状の空間が形成される。
洗浄水は、上から下へ、即ち白抜矢符Ｗ方向へ、排水管２及び接続管３をこの順に流通する。
【００５３】
このため、前記空間に、排水管２を流通する洗浄水が自然に貯留され、前記空間は、流通する洗浄水を貯留する貯水空間Ｓ１として機能する。
パッキン４の上面４ａは、貯水空間Ｓ１の底面に配されており、貯水空間Ｓ１に貯留された洗浄水によって被覆される。
【００５４】
食器Ａ，Ａ，…の洗浄工程又はすすぎ工程の終了後、洗浄水は食器洗い機１外部へ排出されるが、貯水空間Ｓ１には洗浄水が貯留した状態のままとなる。
貯水空間Ｓ１に貯留されている洗浄水に混入しているオゾンガスは、洗浄水中を下から上へ移動して空気中へ発散されるため、パッキン４には直接的に接触しない。
【００５５】
また、洗浄水の排出後も食器洗い機１内部に残留した洗浄水から空気中へ発散したオゾンガス、又は乾燥工程中に発生したオゾンガスが、排水管２及び接続管３を通過しても、貯水空間Ｓ１には、パッキン４の上面４ａを被覆するように洗浄水が貯留されているため、このようなオゾンガスがパッキン４に直接的に接触することはない。
【００５６】
つまり、内面２ｂと外面３ａと上面４ａとに囲繞されてなる貯水空間Ｓ１は、貯水空間Ｓ１下方に位置するパッキン４がオゾンガスに直接的に曝されることを抑制している。
【００５７】
ここで、パッキン４の上面４ａ以外の面（下面、外周面、及び内周面）は、フランジ３１上面、内面２ｂ及び外面３ａに密着しているため、上面４ａ同様、オゾンガスに直接的に接触することはない。
ところで、食器Ａ，Ａ，…の洗浄工程中又はすすぎ工程中は、排水管２内部及び接続管３内部が全体的に浸水しているため、やはりオゾンガスはパッキン４に直接的に接触しない。
【００５８】
以上のような食器洗い機１は、オゾン発生器５を設け、オゾンガスを洗浄水に混入させる方式の食器洗い乾燥機であり、食器洗い機１の配管接合部において、パッキン４の上方に空間を設け、この空間に洗浄水を貯留することにより、パッキン４にオゾンガスが直接的に接触しない構造としている。このため、オゾンガスによるパッキン４の劣化が抑制され、パッキン４の耐久性が向上される。
また、排水管２の流出側端部２０及び接続管３の流入側端部３０夫々の形状が非常に単純であり、構成が簡易である。
【００５９】
実施の形態  ２．
図３は、本発明の実施の形態２に係る食器洗い機が備える排水管２００と接続管３００との接合部の構成を示す縦断面図である。
【００６０】
本実施の形態における排水管２００及び接続管３００は、実施の形態１の排水管２及び接続管３と略同様の流水管であるが、夫々の内径及び外径が略等しく、また、夫々略水平方向に配されている。
このため、排水管２００の流出側端部２０末端と接続管３００の流入側端部３０末端とが対向配置され、挿入はされない。
排水管２００と接続管３００とは、弾性を有する断面矩形状の平面視円環状のパッキン４００を介し、例えばネジ締めによって接合される。
【００６１】
排水管２００の流出側端部２０の外面２ａには、円形平板状のフランジ２２が突設されている。
【００６２】
接続管３００の流入側端部３０近傍の外面３ａには、フランジ３２が突設されている。
フランジ３２は、外面３ａから突出する円環平板状のフランジ基部３２ａと、フランジ基部３２ａから排水管２００側へ略垂直に突出する円筒状のフランジ縁部３２ｂとを有する。
フランジ縁部３２ｂのフランジ基部３２ａからの突出長さは、パッキン４００の厚みよりも僅かに短く、流入側端部３０末端からフランジ基部３２ａの突出位置までは、前記突出長さより僅かに長い。
また、フランジ縁部３２ｂの内径は、パッキン４００の外径より僅かに短い。
【００６３】
また、パッキン４００は、パッキン４００外周面がフランジ縁部３２ｂ内面に密着囲繞され、パッキン４００の一面及び他面がフランジ２２及びフランジ基部３２ａ内面に挟持されるように、排水管２００と接続管３００との接合部に配される。つまり、パッキン４００は、フランジ２２及びフランジ３２の間に介在している。
【００６４】
貯水空間Ｓ２は、フランジ２２及びフランジ３２の間と、流入側端部３０の外面３ａと、パッキン４００の内周面４ｂとに囲繞されてなる。
排水管２００の流出側端部２０には、洗浄水を貯水空間Ｓ２へ案内するテーパ面が形成してあり、このテーパ面と、流入側端部３０末端との間が、貯水空間Ｓ２へ洗浄水が図中矢符方向に流入する流入口２１として機能する。
【００６５】
ここで、流入口２１は、貯水空間Ｓ２の広さよりも狭隘であるよう形成されている。このために、流出側端部２０テーパ面と、流入側端部３０末端との間の距離が制限されている。具体的には、フランジ縁部３２ｂのフランジ基部３２ａからの突出長さよりも、フランジ基部３２ａ内面から流入側端部３０末端までの距離の方が長いように接続管３００が形成されている。
【００６６】
洗浄水は、図中右から左へ、即ち白抜矢符Ｗ方向へ、排水管２００及び接続管３００をこの順に流通し、流通する洗浄水の一部が、流入口２１を通って貯水空間Ｓ２に貯留される。
流入口２１は、貯水空間Ｓ２の広さよりも狭隘であるため、貯水空間Ｓ２に貯留された洗浄水の表面張力が、洗浄水に作用する重力を凌駕するため、貯水空間Ｓ２内の洗浄水が、不要に貯水空間Ｓ２外部へ流出することが抑制されている。
パッキン４００の内周面４ｂは、貯水空間Ｓ２の周面に配されており、貯水空間Ｓ２に貯留された洗浄水によって被覆される。
【００６７】
食器Ａ，Ａ，…の洗浄工程又はすすぎ工程の終了後、洗浄水は食器洗い機１外部へ排出されるが、貯水空間Ｓ２には洗浄水が貯留した状態のままである。
例えば洗浄水から空気中へ発散したオゾンガスが、排水管２００及び接続管３００を通過しても、貯水空間Ｓ２には、パッキン４００の内周面４ｂを被覆するように洗浄水が貯留されているため、このようなオゾンガスがパッキン４００に直接的に接触することはない。
【００６８】
ここで、パッキン４００の内周面４ｂ以外の面（両面と外周面と）は、フランジ２２及びフランジ基部３２ａとフランジ縁部３２ｂとに密着しているため、内周面４ｂ同様、オゾンガスに直接的に接触することはない。
【００６９】
以上のような食器洗い機１は、食器洗い機１の配管接合部において、パッキン４００の内側に空間を設け、この空間に洗浄水を貯留することにより、パッキン４００にオゾンガスが直接的に接触しない構造としている。このため、オゾンガスによるパッキン４００の劣化が抑制され、パッキン４００の耐久性が向上される。
【００７０】
なお、排水管２００の流出側端部２０の内径を接続管３００の流入側端部３０の外径より大きくし、流出側端部２０に流入側端部３０を挿入して、流出側端部２０の内面２ｂと流入側端部３０の外面３ａとの間の空隙を流入口２１となしてもよい。
また、洗浄水の流通方向は逆方向でもよい。
【００７１】
実施の形態  ３．
本実施の形態においては、排水管２００と接続管３００との接合部の実施の形態２とは異なる構成について説明し、その他、実施の形態２に対応する部分には同一符号を付してそれらの説明を省略する。
【００７２】
図４は、本発明の実施の形態３に係る食器洗い機が備える排水管２００と接続管３００との接合部の構成を示す縦断面図である。
本実施の形態における排水管２００及び接続管３００は、実施の形態２の排水管２００及び接続管３００と全く同形状の流水管であるが、夫々略鉛直方向に配されており、実施の形態２の貯水空間Ｓ２に対応する貯水空間Ｓ３が形成されている。
【００７３】
貯水空間Ｓ３は、フランジ２２及びフランジ３２の間と、流入側端部３０の外面３ａと、パッキン４００の内周面４ｂとに囲繞されてなる。
排水管２００の流出側端部２０には、洗浄水を貯水空間Ｓ３へ図中矢符方向に案内するテーパ面が形成してあり、このテーパ面と、流入側端部３０末端との間が、貯水空間Ｓ３へ洗浄水が流入する流入口２１として機能する。ここで、流入口２１は、貯水空間Ｓ３の広さよりも狭隘であるよう形成されている。
【００７４】
洗浄水は、図中上から下へ、即ち白抜矢符Ｗ方向へ、排水管２００及び接続管３００をこの順に流通し、流通する洗浄水の一部が、流入口２１を通って貯水空間Ｓ３に貯留される。
パッキン４００の内周面４ｂは、貯水空間Ｓ３の周面（側面）に配されており、貯水空間Ｓ３に貯留された洗浄水によって被覆される。
【００７５】
食器Ａ，Ａ，…の洗浄工程又はすすぎ工程の終了後、洗浄水は食器洗い機１外部へ排出されるが、貯水空間Ｓ３には洗浄水が貯留した状態のままである。
例えば洗浄水から空気中へ発散したオゾンガスは、排水管２００及び接続管３００を通過しても、貯水空間Ｓ３には、パッキン４００の内周面４ｂを被覆するように洗浄水が貯留されているため、このようなオゾンガスがパッキン４００に直接的に接触することはない。
【００７６】
以上のような食器洗い機１は、食器洗い機１の配管接合部において、パッキン４００の側方（内側）に空間を設け、この空間に洗浄水を貯留することにより、パッキン４００にオゾンガスが直接的に接触しない構造としている。このため、オゾンガスによるパッキン４００の劣化が抑制され、パッキン４００の耐久性が向上される。
【００７７】
なお、排水管２００が下側、接続管３００が上側になるよう配されていてもよい。この場合、洗浄水を貯留空間Ｓ３へ案内するテーパ面は流入側端部３０に形成されてもよく、このテーパ面と、流出側端部２０末端との間が、貯水空間Ｓ３へ洗浄水が流入する流入口２１として機能する。
【００７８】
実施の形態  ４．
本実施の形態においては、排水管２と接続管３との接合部の実施の形態１とは異なる構成について説明し、その他、実施の形態１に対応する部分には同一符号を付してそれらの説明を省略する。
図５は、本発明の実施の形態４に係る食器洗い機が備える排水管２と接続管３との接合部の構成を示す縦断面図である。
【００７９】
排水管２の流出側端部２０近傍の外面２ａには、円形平板状のフランジ２３が突設されている。流出側端部２０末端からフランジ２３の突設位置までは、所定距離、離隔配置されている。この所定距離は、パッキン４の厚みよりも長いことが望ましい。
【００８０】
接続管３の流入側端部３０近傍の外面３ａには、貯水フランジ３３が突設されている。
貯水フランジ３３は、外面３ａから突出する円環平板状のフランジ底部３３ａと、フランジ底部３３ａから排水管２の流出側端部２０の外面２ａの外側へ略垂直に突出する円筒状のフランジ側部３３ｂとを有する。フランジ側部３３ｂのフランジ底部３３ａからの突出長さは、前記所定距離よりも長い。
【００８１】
排水管２の流出側端部２０の内径は接続管３の流入側端部３０の外径よりも長く、流出側端部２０に流入側端部３０が挿入される。このとき、フランジ側部３３ｂ先端がフランジ２３に当接する。
また、パッキン４は、パッキン４内周面が流出側端部２０を密着囲繞し、更に、パッキン４外周面がフランジ側部３３ｂに密着囲繞され、パッキン４の下面４ｃが貯水フランジ３３内部側を向き、上面がフランジ２３に密着するように、排水管２と接続管３との接合部に配される。つまり、パッキン４は、フランジ側部３３ｂの内面と流出側端部２０の外面２ａとの間に介在している。
【００８２】
排水管２の流出側端部２０の末端は、貯水フランジ３３内部へ突出するようにして、フランジ底部３３ａ内面に、この内面から離隔して対向配置される。また、流出側端部２０の内面２ｂと接続管３の外面３ａとは離隔配置される。このため、貯水フランジ３３上側の内面２ｂと外面３ａとの間に、貯水フランジ３３内部へ洗浄水が流入する流入口３４が形成される。
流入側端部３０先端の上下方向位置は、パッキン４の下面４ｃの上下方向位置より上方である。
【００８３】
貯水フランジ３３内部は、上側に開口を有する平面視円環状の貯水空間Ｓ４であり、この貯水空間Ｓ４に、上から下へ、即ち白抜矢符Ｗ方向へ排水管２を流通する洗浄水が流入口３４を通って自然に貯留される。
パッキン４の下面４ｃは、貯水空間Ｓ４の天面に配されており、貯水空間Ｓ４に貯留された洗浄水によって被覆される。
【００８４】
食器Ａ，Ａ，…の洗浄工程又はすすぎ工程の終了後、洗浄水は食器洗い機１外部へ排出されるが、貯水空間Ｓ４には洗浄水が貯留した状態のままである。
例えば洗浄水から空気中へ発散したオゾンガスは、排水管２及び接続管３を通過しても、貯水空間Ｓ４には、パッキン４の下面４ｃを被覆するように洗浄水が貯留されているため、このようなオゾンガスがパッキン４に直接的に接触することはない。
【００８５】
ここで、パッキン４の下面４ｃ以外の面（上面、内周面、及び外周面）は、フランジ２３、外面２ａ及びフランジ側部３３ｂに密着しているため、下面４ｃ同様、オゾンガスに直接的に接触することはない。
【００８６】
以上のような食器洗い機１は、食器洗い機１の配管接合部において、パッキン４の下方に空間を設け、この空間に洗浄水を貯留することにより、パッキン４にオゾンガスが直接的に接触しない構造としている。このため、オゾンガスによるパッキン４の劣化が抑制され、パッキン４の耐久性が向上される。
【００８７】
なお、例えば排水管２及び接続管３の寸法が略等しい場合、流入口３４は、流出側端部２０に、洗浄水を貯水空間Ｓ４へ案内するテーパ面を形成することによって設けてもよい。このとき、排水管２が下側、接続管３が上側になるよう配されてもよい。また、流入口３４を貯水空間Ｓ４の広さに対して十分に狭隘に形成することによって、排水管２及び接続管３夫々を略水平方向に配した場合でも、貯水空間Ｓ４に貯留された洗浄水の表面張力によって、この洗浄水が貯水空間Ｓ４から不要に流出することが抑制される。
【００８８】
さて、実施の形態１〜４では、排水管２，２００と接続管３，３００との接合部の構造を例示したが、これに限らず、例えば接続管３，３００と吸込ホース１４２との接合部に、例えば貯水空間Ｓ１，Ｓ２，Ｓ３，Ｓ４のような貯水空間を設ける構成でもよい。
また、パッキン４，４００の形状は、断面矩形状の円環状に限るものではなく、例えば断面が円形状、Ｌ字状等でもよい。更に、パッキン４，４００は合成ゴム製に限定されず、例えばポリウレタン製でもよい。
【図面の簡単な説明】
【００８９】
【図１】本発明の実施の形態１に係る食器洗い機の略示正面図である。
【図２】本発明の実施の形態１に係る食器洗い機が備える排水管と接続管との接合部の構成を示す縦断面図である。
【図３】本発明の実施の形態２に係る食器洗い機が備える排水管と接続管との接合部の構成を示す縦断面図である。
【図４】本発明の実施の形態３に係る食器洗い機が備える排水管と接続管との接合部の構成を示す縦断面図である。
【図５】本発明の実施の形態４に係る食器洗い機が備える排水管と接続管との接合部の構成を示す縦断面図である。
【図６】従来の食器洗い機が備える排水管と接続管との接合部の構成を示す縦断面図である。
【符号の説明】
【００９０】
１    食器洗い機
２，２００    排水管（第１流水管）
２０  流出側端部（第１端部）
２１  流入口
２２，３２  フランジ
２ａ  外面
２ｂ  内面
３，３００    接続管（第２流水管）
３０  流入側端部（第２端部）
３３  貯水フランジ
３３ａ  フランジ底部（底部）
３３ｂ  フランジ側部（側部）
３４    流入口
３ａ  外面
４，４００  パッキン
４ａ  上面（表面）
４ｂ  内周面（表面）
４ｃ  下面（表面）
５    オゾン発生器（ガス発生部）
Ａ    食器
Ｓ１，Ｓ２，Ｓ３，Ｓ４  貯水空間
【図１】
2008000462.tif 000003
【図２】
2008000462.tif 000004
【図３】
2008000462.tif 000005
【図４】
2008000462.tif 000006
【図５】
2008000462.tif 000007
【図６】
2008000462.tif 000008